(57)【特許請求の範囲】
【請求項１】
第１の入力ポートと複数の第１の出力ポートを備える第１の波長選択スイッチと、光信号の再生を行う再生中継器とからなる光伝送装置であって、
前記第１の波長選択スイッチは、第１の波長の光信号を前記再生中継器に入力し、
前記再生中継器は、波長可変な送信器を内蔵し前記第１の波長の光信号を前記第1の波長とは異なる第２の波長の光信号に変換して、前記第１の波長選択スイッチに入力することを特徴とする光伝送装置。
【請求項２】
請求項１に記載の光伝送装置であって、
さらに、複数の第２の入力ポートと第２の出力ポートを備える第２の波長選択スイッチを備え、
前記複数の第１の出力ポートの一つと、前記複数の第２の入力ポートの一つとが接続されていることを特徴とする光伝送装置。
【請求項３】
請求項１または請求項２に記載の光伝送装置であって、
前記第１の波長選択スイッチは、さらに第３の入力ポートを備え、
前記再生中継器は、前記第２の波長の光信号を、前記第３の入力ポートから、前記第１の波長選択スイッチに入力することを特徴とする光伝送装置。
【請求項４】
第１の入力ポートと第１ないし第３の出力ポートを備える第１の波長選択スイッチと、前記第１の出力ポートと接続された第２の入力ポートと第３の入力ポートと第４の出力ポートを備える第２の波長選択スイッチと、光信号の再生を行う再生中継器とからなる光伝送装置であって、
前記第１の波長選択スイッチは、前記第１の入力ポートで第１の波長多重光信号を受信し、前記第１の波長多重信号に含まれた第１の波長の光信号を前記第３の出力ポートから、前記再生中継器に入力し、前記第２の出力ポートからドロップ光信号を送信し、
前記第２の波長選択スイッチは、前記第３の入力ポートでアッド光信号を受信し、前記第４の出力ポートから第２の波長多重光信号を送信し、
前記再生中継器は、波長可変な送信器を内蔵し前記第１の波長の光信号を前記第1の波長とは異なる第２の波長の光信号に変換して、前記第１の波長選択スイッチに入力することを特徴とする光伝送装置。
【請求項５】
請求項４に記載の光伝送装置であって、
前記第１の波長選択スイッチは、さらに第４の入力ポートを備え、
前記再生中継器は、前記第２の波長の光信号を、前記第４の入力ポートから、前記第１の波長選択スイッチに入力することを特徴とする光伝送装置。
【請求項６】
複数の光分岐装置で相互接続された第１のリングネットワークと、複数の光分岐装置で相互接続された第２のリングネットワークと、前記第１のリングネットワークと前記第２のリングネットワークとを接続する波長クロスコネクト装置とで構成された光ネットワークにおいて、
前記波長クロスコネクト装置は、第１の入力ポートと第１ないし第３の出力ポートを備える第１の波長選択スイッチと、前記第１の出力ポートと接続された第２の入力ポートと第３の入力ポートと第４の出力ポートを備える第２の波長選択スイッチと、光信号の再生を行う再生中継器とを備え、
前記第１の波長選択スイッチは、前記第１の入力ポートで第１の波長多重光信号を受信し、前記第１の波長多重信号に含まれた第１の波長の光信号を前記第３の出力ポートから、前記再生中継器に入力し、前記第２の出力ポートからドロップ光信号を送信し、
前記第２の波長選択スイッチは、前記第３の入力ポートでアッド光信号を受信し、前記第４の出力ポートから第２の波長多重光信号を送信し、
前記再生中継器は、波長可変な送信器を内蔵し前記第１の波長の光信号を前記第1の波長とは異なる第２の波長の光信号に変換して、前記第１の波長選択スイッチに入力することを特徴とする光ネットワーク。
【請求項７】
請求項６に記載の光ネットワークであって、
前記第１の波長選択スイッチは、さらに第４の入力ポートを備え、
前記再生中継器は、前記第２の波長の光信号を、前記第４の入力ポートから、前記第１の波長選択スイッチに入力することを特徴とする光ネットワーク。
【発明の詳細な説明】
【技術分野】
【０００１】
本発明は、光伝送装置および光ネットワークに係り、特に波長選択スイッチを用いた光伝送装置および光ネットワークに関する。
【背景技術】
【０００２】
複数の波長の光を１本の光ファイバ内に多重した波長多重伝送（ＷＤＭ：Wavelength Division Multiplexing）光ネットワークにおける、伝送装置ノードでの波長毎スイッチングでは、複数の波長の内の一部の波長を分岐して受信し、複数の波長の内の一部の波長を挿入して送信する、光分岐挿入装置（ＯＡＤＭ：Optical Add/Drop Multiplexer）が商用導入され、光ネットワークの主流となりつつある。今後は、一部の波長を分岐して受信するだけでなく、複数の方路に任意の波長を振り分けて送信し、一部の波長を挿入してそれを任意の方路に振り分けて送信する波長選択スイッチを用いた波長クロスコネクト（ＷＸＣ：Wavelength CROSS-Connect）装置が開発され、光ネットワークへの展開が期待されている。
【０００３】
図１を参照して、ＯＡＤＭおよびＷＸＣを用いた波長制御光ネットワークのトポロジーを説明する。ここで、図１は光ネットワークのブロック図である。なお、図示の簡便のため図１において、片方向の送受信を記載している。また、図１Ａは、１ノードのみを記載している。さらに、アッド（Ａｄｄ）、ドロップ（Ｄｒｏｐ）は、代表的なノードしか記載していない。なお、図１以下の図面で、太い実線は波長数１以上の光信号、細い実線は波長数１の光信号を表している。
【０００４】
ＯＡＤＭ光ネットワークは、図１（ａ）（ｃ）に示すようにリニア状またはリング状のネットワークで構成される。複数の波長が多重されたＷＤＭ信号は、ＯＡＤＭ装置１００により、波長毎にドロップ、アッド、スルーの操作を行い、各ノード間での光信号の送受信を行う。
【０００５】
ＷＸＣ光ネットワークのＷＸＣノードは、図１（ｂ）（ｄ）に示すようにメッシュ状のネットワークのノードまたはリング間接続ノードに適用される。ＷＸＣ装置２００は、複数の方路から来たＷＤＭ信号を波長毎にドロップ、アッド、スルーの操作を行い、複数の方路に振り分け、各ノード間での光信号の送受信を行う。
【０００６】
なお、図１（ｄ）において、リング間接続ノード以外のノードをＯＡＤＭ装置１００としているが、ＷＸＣ装置２００であっても構わない。図１において、ドロップ光信号は、図示しない第１の光トランスポンダへ出力される。一方、アッド光信号は、波長を予め定めた第２の光トランスポンダ（図示せず）の出力信号である。
【０００７】
図２を参照して、ＯＡＤＭ装置の構成を説明する。ここで、図２はＯＡＤＭ装置のブロック図である。図２において、波長多重信号であるＷＤＭ信号は、ＤＭＵＸ（Demultiplexer）１１により、波長毎に分離され、ドロップまたはスルーされる。また、アッドされる波長はスルー信号とＭＵＸ（Multiplexer）１２により多重され、送出される。ＯＡＤＭ装置１００は、方路ａと方路ｂの２方路・双方向の構成となっている。ここで、スルー信号は、波長毎に１波長ずつに分離されているため、伝送されてきた光信号が光ＳＮ不足などにより劣化している場合は、再生中継器（ＲＧＮ：Regenerator）３を用いて、光−電気−光変換し、新たに光信号を送出することができる。
しかし、波長選択スイッチを用いるＷＸＣ装置については、特許文献１に示されているように、スルー信号に対して１波長ずつに分離されたポートが存在しないため、再生中継器を挿入することができなかった。
【０００８】
【特許文献１】特開２００３−１２５４３０号公報
【発明の開示】
【発明が解決しようとする課題】
【０００９】
本発明は、スルー信号に対して再生中継が可能な波長選択スイッチを用いる光伝送装置および光ネットワークを提供する。
【課題を解決するための手段】
【００１０】
波長選択スイッチに再生中継器を挿入するために、波長選択スイッチに入力された波長多重信号のうち、１波長を分離するポートを少なくとも１つ以上設ける。１波長が分離されたポートの出力を再生中継器に入力し、その出力を再び、波長選択スイッチに入力する。このとき、再生中継器から出力される波長は、再生中継器に入力される波長とは別な波長で、波長選択スイッチにより処理可能な波長に変換しておく。再生中継器からの出力は、光カプラまたは波長多重フィルタ、または波長選択スイッチの別の入力ポートを通して、波長選択スイッチに入力される。再生中継器の出力は、入力とは異なる波長に変換されているので、波長選択スイッチを通して再び再生中継器の入力に戻ることはない。
【００１１】
波長選択スイッチに再入力された再生光信号は、波長選択スイッチにより、出力ポートの何れかに出力され、もう一つ別の多重要波長選択スイッチを通して、該当する方路に送出される。
【００１２】
上述した課題は、入力ポートと複数の出力ポートを備える波長選択スイッチと、光信号の再生を行う再生中継器とからなり、波長選択スイッチは、第１の波長の光信号を再生中継器に入力し、再生中継器は、第１の波長の光信号を第２の波長の光信号に変換して、第１の波長選択スイッチに入力する光伝送装置により、達成できる。
【００１３】
さらに、第１の入力ポートと第１ないし第３の出力ポートを備える第１の波長選択スイッチと、第１の出力ポートと接続された第２の入力ポートと第３の入力ポートと第４の出力ポートを備える第２の波長選択スイッチと、光信号の再生を行う再生中継器とからなり、第１の波長選択スイッチは、第１の入力ポートで第１の波長多重光信号を受信し、第１の波長多重信号に含まれた第１の波長の光信号を第３の出力ポートから、再生中継器に入力し、第２の出力ポートからドロップ光信号を送信し、第２の波長選択スイッチは、第３の入力ポートでアッド光信号を受信し、第４の出力ポートから第２の波長多重光信号を送信し、再生中継器は、第１の波長の光信号を第２の波長の光信号に変換して、第１の波長選択スイッチに入力する光伝送装置により、達成できる。
【００１４】
複数の光分岐装置で相互接続された第１のリングネットワークと、複数の光分岐装置で相互接続された第２のリングネットワークと、第１のリングネットワークと第２のリングネットワークとを接続する波長クロスコネクト装置とで構成され、波長クロスコネクト装置は、第１の入力ポートと第１ないし第３の出力ポートを備える第１の波長選択スイッチと、第１の出力ポートと接続された第２の入力ポートと第３の入力ポートと第４の出力ポートを備える第２の波長選択スイッチと、光信号の再生を行う再生中継器とを備え、第１の波長選択スイッチは、第１の入力ポートで第１の波長多重光信号を受信し、第１の波長多重信号に含まれた第１の波長の光信号を第３の出力ポートから、再生中継器に入力し、第２の出力ポートからドロップ光信号を送信し、第２の波長選択スイッチは、第３の入力ポートでアッド光信号を受信し、第４の出力ポートから第２の波長多重光信号を送信し、再生中継器は、第１の波長の光信号を第２の波長の光信号に変換して、第１の波長選択スイッチに入力する光ネットワークにより、達成できる。
【発明の効果】
【００１５】
本発明によれば、再生中継器を波長選択スイッチに接続して併用することができ、信号品質劣化による光パス制限をフリーとした光伝送装置、光ネットワークを提供することができる。
【発明を実施するための最良の形態】
【００１６】
以下本発明の実施の形態について、実施例を用い図面を参照しながら説明する。なお、実質同一部位には同じ参照番号を振り、説明は繰り返さない。
【実施例１】
【００１７】
図３を参照して、波長選択スイッチを用いたＷＸＣ装置の構成を説明する。ここで、図３はＷＸＣ装置のブロック図である。なお、図３以降、波長選択スイッチは、ＷＳＳ（Wavelength Selective Switch）と表記することがある。
【００１８】
図３において、ＷＸＣ装置２００は、４方路のＷＸＣ装置である。ＷＸＣ装置２００は、１入力Ｎ出力（以下１×Ｎと記載、ここでＮ＝４）のＷＳＳ１およびＮ×１のＷＳＳ２を受信側および送信側に用いている。受信側ＷＳＳ１は、ＷＸＣ装置コントローラ５により、受信したＷＤＭ信号をドロップする信号をドロップ・ポートに振り分けるだけでなく、ＷＤＭ信号のまま、他の３方路へ振り分ける。送信側ＷＳＳ２は、アッド信号以外に、ＷＤＭ信号のまま、他の３方路から振り分けられて来た信号を多重して、光伝送路に送出する。ＷＸＣ装置２００の受信側ＷＳＳ１のドロップ・ポートには、ＤＭＵＸ１１が接続され、ドロップされた波長多重信号を波長分離する。逆に、ＷＸＣ装置２００の送信側ＷＳＳ２のアッドポートには、ＭＵＸ１２が接続され、アッドする光信号を波長多重する。なお、ＤＭＵＸ１１の出力ポート、ＭＵＸ１２の入力ポートには、それぞれ図示しない光トランスポンダが接続される。
【００１９】
図３に示したように、波長選択スイッチ１、２を用いたＷＸＣ装置２００では、受信側ＷＳＳ１から送信側ＷＳＳ２に転送される経路において、複数の波長により構成されるＷＤＭ信号が転送されている。すなわち、１波長ずつに分離されていないために、再生中継器を挿入することができない。
【００２０】
これを、図４を用いて説明する。図４（ａ）において、受信側ＷＳＳ１は、入力ポート数１、出力ポート数Ｎの１ｘＮ ＷＳＳ（Ｎ＝４）としている。入力光は、複数の波長からなる波長群Ｌ１ａから成り、図３に示したコントローラ５により、任意の波長の波長群Ｌ１ｂ、Ｌ１ｃ、Ｌ１ｄ、Ｌ１ｓに振り分けられる。Ｌ１ａの波長数は、Ｌ１ｂ、Ｌ１ｃ、Ｌ１ｄ、Ｌ１ｓの波長数の和に等しい。波長群Ｌ１ｂ、Ｌ１ｃ、Ｌ１ｄはそれぞれ方路ｂ、ｃ、ｄに向かい、Ｌ１ｓはドロップ信号波長群である。
【００２１】
図４（ａ）において、送信側ＷＳＳ２に転送される波長群Ｌ１ｂ、Ｌ１ｃ、Ｌ１ｄは、それぞれ複数の波長により構成されるＷＤＭ信号である。ＷＳＳ１は、１個の筐体モジュールで分波、方路スイッチを行うデバイスであり、単一の波長のみを筐体外に取り出して何らかの処理をすることは不可能である。したがって、各波長に対して、再生中継器を挿入することができない構成になっている。
【００２２】
また、図４（ｂ）に示す送信側ＷＳＳ２は、入力ポート数Ｎ、出力ポート数１のＮｘ１ ＷＳＳ（Ｎ＝４）としている。入力光は、各方路ａ、ｃ、ｄから来た複数の波長からなる波長群Ｌ２ａ、Ｌ２ｃ、Ｌ２ｄおよびアッド信号の波長群Ｌ２ｓであり、図３に示したコントローラ５により、波長群Ｌ２ｂに多重され出力される。Ｌ２ａ＝Ｌ１ｂである。Ｌ２ａ、Ｌ２ｃ、Ｌ２ｄ、Ｌ２ｓの波長数の和は、Ｌ２ｂの波長数に等しい。したがって、図３、図４で説明した波長選択スイッチを用いたＷＸＣネットワークにおいて、光信号は、電気に変換されることなく光のままでノードをスルーして各方路に送出される。このため、光伝送路、光増幅器、ＷＸＣ装置などを何段も通過することにより、光信号が光ＳＮＲまたは波形歪により劣化しても、それを再生することができず、所望のノード間での伝送ができなくなる。
【００２３】
図５を参照して、波長選択スイッチを用いた他のＷＸＣ装置の構成を説明する。ここで、図５は他のＷＸＣ装置のブロック図である。なお、図３で説明したように４方路のとき、ＷＳＳは８台必要だが、図示の簡便のため、方路ａから方路ｂへの片方向の２台のＷＳＳのみ取り出して、以下説明する。
【００２４】
図５において、ＷＸＣ装置２００Ａは、１×５ＷＳＳ１と波長分離器１１と波長多重器１２と４×１ＷＳＳ２と再生中継器３とカプラ４とコントローラ５とから構成される。コントローラ５は、ＷＸＣ装置２００ＡにおけるＷＳＳ１、ＷＳＳ２の各波長毎の方路設定および再生中継器３の出力波長設定を制御する。
【００２５】
方路ａの伝送路ファイバを伝送されてきた複数の波長から成る波長多重信号を、ＷＸＣ装置２００Ａは、光カプラ４を通して、受信側波長選択スイッチ（ＷＳＳ）１の入力ポート１ｉａに入力する。受信側ＷＳＳ１は、コントローラ５からの設定により、波長多重信号を出力ポート１ｏｂ、１ｏｃ、１ｏｄ、１ｏｓ、１ｏｓ１にそれぞれ任意に波長を分配する。出力ポート１ｏｂ、１ｏｃ、１ｏｄは、それぞれ方路ｂ、方路ｃ、方路ｄへの出力である。方路ｃ、方路ｄへの送信側ＷＳＳは記載を省いているので、出力ポート１ｏｂは、送信側ＷＳＳ２の入力ポート２ｉａに接続され、送信側ＷＳＳ２の出力ポート２ｏｂから方路ｂへ出力される。ＷＳＳ１の出力ポート１ｏｓは、ＷＸＣ装置２００Ａにドロップするためのポートで、分離器１１のポート１１ｏ１〜１１ｏｎには図示しないトランスポンダに接続される。
【００２６】
コントローラ５からの設定により、ＷＳＳ２は、ポート２ｉａ、２ｉｃ、２ｉｄからそれぞれ方路ａ、方路ｃ、方路ｄからのスルー信号を入力され、ポート２ｉｓに接続された多重器１２が合波したアッド信号を入力される。ＷＳＳ２は、ポート２ｏｂからＷＤＭ信号を方路ｂに送信する。なお、多重器１２の入力ポート１２ｉ１〜１２ｉｎには、図示しない光トランスポンダが接続される。
【００２７】
ＷＳＳ１の出力ポート１ｏｓ１には、コントローラ５からの設定により、特定の１波長のみが出力され、再生中継器（ＲＧＮ）３で、信号再生（３Ｒ：Reshaping、Retiming、Regeneration）される。このとき、再生中継器３から出力される波長λｊは、再生中継器３に入力される波長λｉとは異なる波長となるようコントローラ５から出力波長が設定され、ＷＳＳ１により処理可能な波長に変換する。再生中継器３からの出力は、光カプラ４を通して、ＷＳＳ１に入力される。再生中継器３の出力は、入力とは異なる波長λｊに変換されているので、ＷＳＳ１を通して再び再生中継器３の入力に戻ることはない。ここで、再生中継器３から出力される波長は、波長が固定されている場合は、予め再生用波長として決めておく必要がある。しかし、波長可変な光送信器を内蔵する再生中継器を使用することにより、コントローラ５からの設定で、波長選択スイッチで使用可能な全波長の内、未使用な波長の中から選択でき、波長リソースの有効利用が可能となる。再生中継器３が内蔵する光受信器は、波長に対するダイナミックレンジが広いので、受信側については、ＷＳＳ１およびＷＳＳ２を通過可能ないかなる波長でも構わない。なお、上述した説明は、本明細書の他の実施例でも同様である。
【００２８】
ＷＳＳ１に再入力された波長λｊの再生光信号は、コントローラ５により設定されたＷＳＳ１により、出力ポート１ｏｂ、１ｏｃ、１ｏｄの何れかに出力され、送信側ＷＳＳ２または図示しないＷＳＳを通して、送出される。
【００２９】
表１  ポート−波長（群）対応表
−−−−−−−−−−−−−−−−−−−−−−−−−−
受信側ＷＳＳ
−−−−−−−−−−−−−−−−−−−−−−−−−−
入力ポート    波長群    出力ポート    波長（群）
−−−−−−−−−−−−−−−−−−−−−−−−−−
１ｏｂ        Ｌ１ｂ
１ｏｃ        Ｌ１ｃ
１ｉａ      Ｌ１ａ      １ｏｄ        Ｌ１ｄ
１ｏｓ        Ｌ１ｓ
１ｏｓ１        λｉ
−−−−−−−−−−−−−−−−−−−−−−−−−−
【００３０】
以上の図５における動作について、コントローラ５により設定される、ＷＳＳおよび再生中継器（ＲＧＮ）の各ポートに対する波長または波長群をまとめた表を表１ないし表３に示す。表１には、図５のＷＳＳ１の入力ポートを識別する情報として「１ｉａ」、この入力ポートに入力される信号光の波長群の情報として、その波長群を識別する情報「Ｌ１ａ」が登録される。また表１には、ＷＳＳ１の出力ポートを識別する情報として「１ｏｂ」、「１ｏｃ」、「１ｏｄ」、「１ｏｓ」、「１ｏｓ１」、これら出力ポートから出力される信号光をそれぞれ識別する情報として「Ｌ１ｂ」「Ｌ１ｃ」「Ｌ１ｄ」「Ｌ１ｓ」「λｉ」が登録される。
なお、Ｌ１ａの波長数は、Ｌ１ｂ、Ｌ１ｃ、Ｌ１ｄおよびＬ１ｓの波長数の総和＋１である。Ｌ１ｂ、Ｌ１ｃまたはＬ１ｄのいずれかにλｊを含む。Ｌ１ａには、λｉおよびλｊを含む。
【００３１】
表２  ポート−波長（群）対応表
−−−−−−−−−−−−−−−−−−−−−−−−−−
送信側ＷＳＳ
−−−−−−−−−−−−−−−−−−−−−−−−−−
入力ポート    波長群    出力ポート    波長（群）
−−−−−−−−−−−−−−−−−−−−−−−−−−
２ｉａ      Ｌ２ａ                          
２ｉｃ      Ｌ２ｃ      ２ｏｂ        Ｌ２ｂ
２ｉｄ      Ｌ２ｄ                          
２ｉｓ      Ｌ２ｓ                          
−−−−−−−−−−−−−−−−−−−−−−−−−−
ＷＳＳ２に関する表２にも同様に、ＷＳＳ２の入力ポートを識別する情報として「２ｉａ」、「２ｉｃ」、「２ｉｄ」、「２ｉｓ」と、それらに対する波長群の情報「Ｌ２ａ」、「Ｌ２ｃ」、「Ｌ２ｄ」、「Ｌ２ｓ」が登録される。ＷＳＳ２の出力ポートを識別する情報として「２ｏｂ」と、それに対する波長群の情報「Ｌ２ｂ」が登録される。
なお、Ｌ２ａ、Ｌ２ｃ、Ｌ２ｄおよびＬ２ｓの波長数の総和は、Ｌ２ｂの波長数と等しい。また、Ｌ１ａの波長数は、Ｌ２ｂの波長数と等しい。
【００３２】
表３  入出力波長表
−−−−−−−−−−−−
ＲＧＮ
−−−−−−−−−−−−
入力波長    出力波長  
−−−−−−−−−−−−
λｉ        λｊ    
−−−−−−−−−−−−
【００３３】
また、表３には、図５の再生中継器（ＲＧＮ）３について、入力ポートに入力される信号光の波長を識別する情報として「λｉ」が、変換後に出力する波長の情報として「λｊ」がそれぞれ登録される。なお、λｉは、λｊと等しくない。
波長クロスコネクト装置２００Ａは、表１〜表３の情報を図示しないメモリに格納する。コントローラ５は、このメモリに格納された情報を参照してＷＳＳ１やＷＳＳ２、ＲＧＮ３に各設定を行なう。
【実施例２】
【００３４】
図６を参照して、波長選択スイッチを用いた他のＷＸＣ装置の構成を説明する。ここで、図６は他のＷＸＣ装置のブロック図である。図６において、ＷＸＣ装置２００Ｂは、１×６ＷＳＳ１と分離器１１と多重器１２と４×１ＷＳＳ２と２台の再生中継器３−１および再生中継器３−２とカプラ４とコントローラ５とから構成される。コントローラ５は、ＷＸＣ装置２００ＢにおけるＷＳＳ１、ＷＳＳ２の各波長毎の方路設定および２台の再生中継器３の出力波長設定を制御する。
【００３５】
ＷＸＣ装置２００Ｂは、受信側ＷＳＳ１の２つの出力ポート１ｏｓ１、１ｏｓ２に、コントローラ５からの設定により、それぞれ特定の１波長のみが出力し、別の再生中継器（ＲＧＮ）３で信号再生する。このとき、再生中継器３から出力される波長は、再生中継器３に入力される波長とはそれぞれ異なる波長となるようコントローラ５から出力波長が設定され、受信側ＷＳＳ１により処理可能な波長に変換する。２台の再生中継器３からの出力は、光カプラ４を通して、受信側ＷＳＳ１に入力される。再生中継器３の出力は、入力とは異なる波長に変換されているので、ＷＳＳ１を通して再び再生中継器３の入力に戻ることはない。
【００３６】
表４  ポート−波長（群）対応表
−−−−−−−−−−−−−−−−−−−−−−−−−−
受信側ＷＳＳ
−−−−−−−−−−−−−−−−−−−−−−−−−−
入力ポート    波長群    出力ポート    波長（群）
−−−−−−−−−−−−−−−−−−−−−−−−−−
１ｏｂ        Ｌ１ｂ
１ｏｃ        Ｌ１ｃ
１ｉａ      Ｌ１ａ      １ｏｄ        Ｌ１ｄ
１ｏｓ        Ｌ１ｓ
１ｏｓ１        λｉ
１ｏｓ２        λｍ
−−−−−−−−−−−−−−−−−−−−−−−−−−
【００３７】
以上の図６における動作について、コントローラ５により設定される、ＷＳＳおよび再生中継器（ＲＧＮ）の各ポートに対する波長または波長群をまとめた表を表４、表２および表５に示す。表４には、図６のＷＳＳ１の入力ポートを識別する情報として「１ｉａ」、この入力ポートに入力される信号光の波長群の情報として、その波長群を識別する情報「Ｌ１ａ」が登録される。また表４には、ＷＳＳ１の出力ポートを識別する情報として「１ｏｂ」、「１ｏｃ」、「１ｏｄ」、「１ｏｓ」、「１ｏｓ１」、「１ｏｓ２」と、これら出力ポートから出力される信号光をそれぞれ識別する情報として「Ｌ１ｂ」、「Ｌ１ｃ」、「Ｌ１ｄ」、「Ｌ１ｓ」、「λｉ」、「λｍ」が登録される。
【００３８】
なお、Ｌ１ａの波長数は、Ｌ１ｂ、Ｌ１ｃ、Ｌ１ｄおよびＬ１ｓの波長数の総和＋２である。Ｌ１ｂ、Ｌ１ｃまたはＬ１ｄのいずれかにλｊおよびλｎを含む。Ｌ１ａには、λｉ、λｊ、λｍおよびλｎを含む。また、ＷＳＳ２に関するポート−波長（群）対応表は、表２と同様である。
【００３９】
表５  入出力波長表
−−−−−−−−−−−−−−−−−−−−−−−−
ＲＧＮ１                ＲＧＮ２
−−−−−−−−−−−−−−−−−−−−−−−−
入力波長    出力波長    入力波長    出力波長  
−−−−−−−−−−−−−−−−−−−−−−−−
λｉ        λｊ        λｍ        λｎ    
−−−−−−−−−−−−−−−−−−−−−−−−
【００４０】
また、表５は、再生中継器３−１について、入力ポートに入力される信号光の波長を識別する情報として「λｉ」が、変換後に出力する波長の情報として「λｊ」がそれぞれ登録される。表５には、再生中継器３−２について、同様の情報が登録される。なお、λｉは、λｊと等しくない。また、λｍは、λｎと等しくない。
【００４１】
波長クロスコネクト装置２００Ｂは、表２、表４、表５に示す情報を図示しないメモリに格納する。コントローラ５は、このメモリに格納された情報を参照してＷＳＳ１やＷＳＳ２、ＲＧＮ３−１、ＲＧＮ３−２に各設定を行なう。
【実施例３】
【００４２】
図７を参照して、波長選択スイッチを用いた他のＷＸＣ装置の構成を説明する。ここで、図７は他のＷＸＣ装置のブロック図である。図７において、ＷＸＣ装置２００Ｃは、２×５ＷＳＳ１と分離器１１と多重器１２と４×１ＷＳＳ２と再生中継器３とカプラ４とコントローラ５とから構成される。コントローラ５は、ＷＸＣ装置２００ＣにおけるＷＳＳ１、ＷＳＳ２の各波長毎の方路設定および再生中継器３の出力波長設定を制御する。
【００４３】
ＷＸＣ装置２００Ｃは、方路ａの伝送路ファイバを伝送されてきた複数の波長から成る波長多重信号を、受信側ＷＳＳ１の入力ポート１ｉａに入力する。再生中継器３からの出力は、受信側ＷＳＳ１のもう一つの入力ポート１ｉｓを通して、ＷＳＳ１に入力される。再生中継器３の出力は、コントローラ５からの設定により、入力とは異なる波長に変換されているので、ＷＳＳ１を通して再び再生中継器３の入力に戻ることはない。
【００４４】
表６  ポート−波長（群）対応表
−−−−−−−−−−−−−−−−−−−−−−−−−−
受信側ＷＳＳ
−−−−−−−−−−−−−−−−−−−−−−−−−−
入力ポート    波長（群）    出力ポート    波長（群）
−−−−−−−−−−−−−−−−−−−−−−−−−−
１ｏｂ        Ｌ１ｂ
１ｏｃ        Ｌ１ｃ
１ｉａ      Ｌ１ａ      １ｏｄ        Ｌ１ｄ
１ｉｓ        λｊ      １ｏｓ        Ｌ１ｓ
１ｏｓ１        λｉ
−−−−−−−−−−−−−−−−−−−−−−−−−−
【００４５】
以上の図７における動作について、コントローラ５により設定される、ＷＳＳおよび再生中継器（ＲＧＮ）の各ポートに対する波長または波長群をまとめた表を表６、表２および表３に示す。表６には、図７のＷＳＳ１の入力ポートを識別する情報として「１ｉａ」および「１ｉｓ」、これら入力ポートに入力される信号光の波長（群）の情報として、その波長（群）を識別する情報「Ｌ１ａ」、「λｊ」が、それぞれの入力ポートに対応付けて登録される。また、表６には、ＷＳＳ１の出力ポートを識別する情報として「１ｏｂ」、「１ｏｃ」、「１ｏｄ」、「１ｏｓ」、「１ｏｓ１」と、これら出力ポートから出力される信号光をそれぞれ識別する情報として「Ｌ１ｂ」、「Ｌ１ｃ」、「Ｌ１ｄ」、「Ｌ１ｓ」、「λｉ」が登録される。
なお、Ｌ１ａの波長数は、Ｌ１ｂ、Ｌ１ｃ、Ｌ１ｄおよびＬ１ｓの波長数の総和である。Ｌ１ｂ、Ｌ１ｃまたはＬ１ｄのいずれかにλｊを含む。また、Ｌ１ａに、λｉを含む。
【００４６】
ＷＳＳ２に関するポート−波長（群）対応表は、表２と同じである。再生中継器３に関する入出力波長表は、表３と同様である。
波長クロスコネクト装置２００Ｃは、表６、表２および表３に示す情報を図示しないメモリに格納する。コントローラ５は、このメモリに格納された情報を参照してＷＳＳ１やＷＳＳ２、ＲＧＮ３に各設定を行なう。
【実施例４】
【００４７】
図８を参照して、波長選択スイッチを用いた他のＷＸＣ装置の構成を説明する。ここで、図８は他のＷＸＣ装置のブロック図である。図８において、ＷＸＣ装置２００Ｄは、２×６ＷＳＳ１と分離器１１と多重器１２と４×１ＷＳＳ２と２台の再生中継器３−１および再生中継器３−２とカプラ４とコントローラ５とから構成される。コントローラ５は、ＷＸＣ装置２００ＤにおけるＷＳＳ１、ＷＳＳ２の各波長毎の方路設定および再生中継器３の出力波長設定を制御する。
【００４８】
ＷＸＣ装置２００Ｄは、受信側ＷＳＳ１の複数の出力ポート１ｏｓ１、１ｏｓ２に、コントローラ５からの設定により、それぞれ特定の１波長のみを出力し、別の再生中継器（ＲＧＮ）３で信号再生する。このとき、再生中継器３から出力される波長は、再生中継器３に入力される波長とはそれぞれ異なる波長となるようコントローラ５から出力波長が設定され、受信側ＷＳＳ１により処理可能な波長に変換する。２台の再生中継器３からの出力は、光カプラ４と受信側ＷＳＳ１の入力ポート１ｉｓを通して、受信側ＷＳＳ１に入力される。再生中継器３の出力は、入力とは異なる波長に変換されているので、ＷＳＳ１を通して再び再生中継器３の入力に戻ることはない。
【００４９】
表７  ポート−波長（群）対応表
−−−−−−−−−−−−−−−−−−−−−−−−−−
受信側ＷＳＳ
−−−−−−−−−−−−−−−−−−−−−−−−−−
入力ポート    波長群    出力ポート    波長（群）
−−−−−−−−−−−−−−−−−−−−−−−−−−
１ｏｂ        Ｌ１ｂ
１ｏｃ        Ｌ１ｃ
１ｉａ      Ｌ１ａ      １ｏｄ        Ｌ１ｄ
１ｉｓ    λｊ、λｎ    １ｏｓ        Ｌ１ｓ
１ｏｓ１        λｉ
１ｏｓ２        λｍ
−−−−−−−−−−−−−−−−−−−−−−−−−−
【００５０】
以上の図８における動作について、コントローラ５により設定される、ＷＳＳおよび再生中継器（ＲＧＮ）の各ポートに対する波長または波長群をまとめた表を、表７、表２および表５に示す。表７には、図８のＷＳＳ１の入力ポートを識別する情報として「１ｉａ」および「１ｉｓ」、これら入力ポートに入力される信号光の波長（群）の情報として、その波長（群）を識別する情報「Ｌ１ａ」、「λｊ」、「λｎ」が、それぞれの入力ポートに対応付けて登録される。また、表７、ＷＳＳ１の出力ポートを識別する情報として「１ｏｂ」、「１ｏｃ」、「１ｏｄ」、「１ｏｓ」、「１ｏｓ１」、「１ｏｓ２」と、これら出力ポートから出力される信号光をそれぞれ識別する情報として「Ｌ１ｂ」、「Ｌ１ｃ」、「Ｌ１ｄ」、「Ｌ１ｓ」、「λｉ」、「λｍ」が登録される。
【００５１】
なお、Ｌ１ａの波長数は、Ｌ１ｂ、Ｌ１ｃ、Ｌ１ｄおよびＬ１ｓの波長数の総和である。Ｌ１ｂ、Ｌ１ｃまたはＬ１ｄのいずれかにλｊおよびλｎを含む。Ｌ１ａには、λｉおよびλｍを含む。
ＷＳＳ２に関するポート−波長（群）対応表は、表２と同じである。また、再生中継器３−１および再生中継器３−２について、表５と同様である。
波長クロスコネクト装置２００Ｄは、表７、表２および表５に示す情報を図示しないメモリに格納する。コントローラ５は、このメモリに格納された情報を参照してＷＳＳ１やＷＳＳ２、ＲＧＮ３−１、ＲＧＮ３−２に各設定を行なう。
【図面の簡単な説明】
【００５２】
【図１Ａ】光ネットワークを構成するノードを説明する図である。
【図１Ｂ】光ネットワークのブロック図である。
【図２】ＯＡＤＭ装置のブロック図である。
【図３】ＷＸＣ装置のブロック図である。
【図４】ＷＳＳの動作説明図である。
【図５】他のＷＸＣ装置のブロック図である。
【図６】他のＷＸＣ装置のブロック図である。
【図７】他のＷＸＣ装置のブロック図である。
【図８】他のＷＸＣ装置のブロック図である。
【符号の説明】
【００５３】
１…受信側波長選択スイッチ（ＷＳＳ）、２…送信側波長選択スイッチ（ＷＳＳ）、３…再生中継器、４…光カプラ、５…コントローラ、１１…波長分離器、１２…波長多重器、１００…光分岐挿入装置（ＯＡＤＭ）、２００…波長クロスコネクト（ＷＸＣ）装置。
【図１Ａ】
0005042190.tif 000002
【図１Ｂ】
0005042190.tif 000003
【図２】
0005042190.tif 000004
【図３】
0005042190.tif 000005
【図４】
0005042190.tif 000006
【図５】
0005042190.tif 000007
【図６】
0005042190.tif 000008
【図７】
0005042190.tif 000009
【図８】
0005042190.tif 000010